(57)【特許請求の範囲】
【請求項１】
インターホン子機と、第１伝送路を介して前記インターホン子機に接続されるインターホン親機と、第２伝送路を介して前記インターホン親機に接続される通信装置とを備え、
前記インターホン子機と前記インターホン親機とは、前記第１伝送路を介して伝送される第１通信信号を用いて互いに通信し、
前記インターホン親機と前記通信装置とは、前記第２伝送路を介して伝送される第２通信信号を用いて互いに通信し、
前記第１通信信号の周波数帯域と前記第２通信信号の周波数帯域とは、互いに重ならず、
前記第２通信信号は、前記インターホン親機から前記通信装置へ伝送される上り信号と、前記通信装置から前記インターホン親機へ伝送される下り信号とを含み、
前記上り信号と前記下り信号との一方の周波数帯域である第１周波数帯域と、前記上り信号と前記下り信号との他方の周波数帯域である第２周波数帯域とは、互いに重ならず、
前記第１周波数帯域は、前記第２周波数帯域よりも中心周波数の低い周波数帯域であり、
前記第１通信信号の周波数帯域は、前記第１周波数帯域の上限の周波数と、前記第２周波数帯域の下限の周波数との間の周波数帯域である
ことを特徴とするインターホンシステム。
【請求項２】
前記第１周波数帯域は前記上り信号の周波数帯域であり、
前記第２周波数帯域は前記下り信号の周波数帯域である
ことを特徴とする請求項１記載のインターホンシステム。
【請求項３】
前記第２伝送路には、前記インターホン親機と前記通信装置との間において、前記第１周波数帯域及び前記第２周波数帯域の信号を通過させるフィルタが設けられている
ことを特徴とする請求項１又は請求項２に記載のインターホンシステム。
【請求項４】
前記インターホン親機を複数備え、
複数の前記インターホン親機は、複数の前記第２伝送路を介して前記通信装置に接続され、
前記複数の前記インターホン親機のうちの一の前記インターホン親機で使用される前記第２通信信号の周波数帯域と、前記複数の前記インターホン親機のうちの他の前記インターホン親機で使用される前記第２通信信号の周波数帯域とは、互いに重ならない
ことを特徴とする請求項１ないし請求項３のいずれか１項に記載のインターホンシステム。
【発明の詳細な説明】
【技術分野】
【０００１】
本発明は、インターホンシステムに関する。
【背景技術】
【０００２】
従来、集合住宅の共用玄関（ロビー）に設置されるロビーインターホンと、住戸内に設置されるインターホン親機と、住戸外に設置されるインターホン子機とを有する集合住宅用インターホンシステムが提案されている（例えば、特許文献１）。
【０００３】
特許文献１記載の集合住宅用インターホンシステムでは、インターホン親機（住戸機）とインターホン子機（ドアホン子器）とが、第１伝送路（子機接続線）を介して接続されている。また、集合住宅用インターホンシステムでは、インターホン親機とロビーインターホンとが、第２伝送路（伝送線路）を介して接続されている。
【０００４】
インターホン親機とインターホン子機との間では、第１伝送路を介して音声信号及び映像信号が伝送される。インターホン親機とロビーインターホンとの間では、第２伝送路を介して音声信号及び映像信号が伝送される。
【先行技術文献】
【特許文献】
【０００５】
【特許文献１】特開２００８−５４２５１号公報
【発明の概要】
【発明が解決しようとする課題】
【０００６】
上述したような従来のインターホンシステムでは、例えば第１伝送路と第２伝送路とが近接して配線されている場合に、第１伝送路と第２伝送路との間でクロストークが発生し、クロストークに起因して伝送品質が低下する可能性がある。
【０００７】
本発明は、上述の事由に鑑みてなされ、本発明の目的は、２つの伝送路間でのクロストークに起因した伝送品質の低下を抑制可能なインターホンシステムを提供することである。
【課題を解決するための手段】
【０００８】
本発明の一態様に係るインターホンシステムは、インターホン子機と、第１伝送路を介して前記インターホン子機に接続されるインターホン親機と、第２伝送路を介して前記インターホン親機に接続される通信装置とを備えている。前記インターホン子機と前記インターホン親機とは、前記第１伝送路を介して伝送される第１通信信号を用いて互いに通信する。前記インターホン親機と前記通信装置とは、前記第２伝送路を介して伝送される第２通信信号を用いて互いに通信する。前記第１通信信号の周波数帯域と前記第２通信信号の周波数帯域とは、互いに重ならない。前記第２通信信号は、前記インターホン親機から前記通信装置へ伝送される上り信号と、前記通信装置から前記インターホン親機へ伝送される下り信号とを含む。前記上り信号と前記下り信号との一方の周波数帯域である第１周波数帯域と、前記上り信号と前記下り信号との他方の周波数帯域である第２周波数帯域とは、互いに重ならない。前記第１周波数帯域は、前記第２周波数帯域よりも中心周波数の低い周波数帯域である。前記第１通信信号の周波数帯域は、前記第１周波数帯域の上限の周波数と、前記第２周波数帯域の下限の周波数との間の周波数帯域である。
【発明の効果】
【０００９】
本発明のインターホンシステムでは、２つの伝送路間でのクロストークに起因した伝送品質の低下を抑制可能になる。
【図面の簡単な説明】
【００１０】
【図１】図１は、本発明の実施形態１に係るインターホンシステムのブロック図である。
【図２】図２は、同上のインターホンシステムで用いられる第１通信信号及び第２通信信号の周波数帯域の説明図である。
【図３】図３Ａは、同上のインターホンシステムのインターホン子機のブロック図である。図３Ｂは、同上のインターホンシステムのインターホン親機のブロック図である。図３Ｃは、同上のインターホンシステムの通信装置のブロック図である。
【図４】図４Ａは、同上のインターホンシステムで用いられる第１通信信号及び第２通信信号の他の周波数帯域の説明図である。図４Ｂは、同上のインターホンシステムで用いられる第３通信信号の周波数帯域の説明図である。
【図５】図５は、本発明の実施形態２に係るインターホンシステムのブロック図である。
【発明を実施するための形態】
【００１１】
以下の実施形態は、インターホンシステムに関し、より詳細には、インターホン子機及びインターホン親機を備えたインターホンシステムに関する。
【００１２】
（実施形態１）
本実施形態に係るインターホンシステム１００は、図１に示すように、インターホン子機１と、第１伝送路６１を介してインターホン子機１に接続されるインターホン親機２とを備えている。また、インターホンシステム１００は、第２伝送路６２を介してインターホン親機２に接続される通信装置３を備えている。インターホン子機１とインターホン親機２とは、第１伝送路６１を介して伝送される第１通信信号Ｓ１を用いて互いに通信する。インターホン親機２と通信装置３とは、第２伝送路６２を介して伝送される第２通信信号Ｓ２を用いて互いに通信する。第１通信信号Ｓ１の周波数帯域と第２通信信号Ｓ２の周波数帯域とは、図２に示すように、互いに重ならない。
【００１３】
ここでいう「周波数帯域」は、ある信号の周波数スペクトルの範囲を意味し、搬送波の変調によって変化する信号の周波数の範囲に相当する。「周波数帯域」は、例えば下限の周波数と上限の周波数との組み合わせ、又は中心周波数と帯域幅との組み合わせで表される。
【００１４】
インターホンシステム１００では、第１伝送路６１を伝送される第１通信信号Ｓ１と、第２伝送路６２を伝送される第２通信信号Ｓ２とでは、周波数帯域が互いに重ならないように、周波数帯域が振り分けられている。したがって、たとえ第１伝送路６１と第２伝送路６２とが近接して配線されていても、第１伝送路６１と第２伝送路６２との間のクロストークに起因した伝送品質の低下を抑制可能である。
【００１５】
以下、インターホンシステム１００について詳細に説明する。
【００１６】
インターホンシステム１００は、集合住宅に用いられる。インターホンシステム１００は、図１に示すように、複数のインターホン子機１と、複数のインターホン親機２と、通信装置３と、ロビーインターホン４とを備えている。なお、以下では、説明の便宜上、インターホン子機１を「子機１」と略称し、インターホン親機２を「親機２」と略称することがある。
【００１７】
複数の子機１は、それぞれ複数の住戸１０の外玄関に設置されている。複数の親機２は、それぞれ複数の住戸１０内に設置されている。通信装置３は、集合住宅の管理室に設置されている。ロビーインターホン４は、集合住宅の共用玄関（ロビー）に設置されている。
【００１８】
複数の子機１は、それぞれ複数の第１伝送路６１を介して、複数の親機２に接続されている。複数の親機２は、第２伝送路６２を介して、通信装置３に接続されている。第２伝送路６２は、幹線８と、複数の分岐器５と、複数の分岐線７とで構成されている。幹線８は、通信装置３に接続されている。複数の分岐線７は、複数の親機２に接続されている。複数の分岐線７は、幹線８から分岐している。複数の分岐器５は、それぞれ複数の分岐線７と幹線８との分岐点に設けられている。つまり、複数の親機２は、それぞれ複数の分岐線７と複数の分岐器５と幹線８とを介して、通信装置３に接続されている。ロビーインターホン４は、共用伝送路９（第３伝送路）を介して、通信装置３に接続されている。第１伝送路６１、第２伝送路６２（分岐線７及び幹線８）、及び共用伝送路９の各々は、ツイストペア線である。つまり、実際には各伝送路は二線式であるが、以下では、各伝送路を構成する二線（ツイストペア線）を１本と数える（図面上も、１本の線として表す）。
【００１９】
以下、複数の子機１について、図３Ａに基づいて説明する。なお、複数の子機１の構成及び機能は同様であるから、以下では、複数の子機１のうち１つの子機１について構成及び機能を説明する。
【００２０】
子機１は、図３Ａに示すように、第１制御部１１と、第１伝送処理部１２と、第１マイクロホン１３と、第１スピーカ１４と、第１Ａ／Ｄ変換器１５と、第１Ｄ／Ａ変換器１６と、第１撮像部１７と、第１操作部１８とを備えている。
【００２１】
第１制御部１１は、ＣＰＵ（Central Processing Unit）及びメモリ等のハードウェアと、ＣＰＵで実行されるソフトウェア（プログラム）とで構成されている。また、第１制御部１１は、第１伝送処理部１２及び第１撮像部１７を制御するように構成されている。
【００２２】
第１伝送処理部１２は、親機２の第３伝送処理部２２（図３Ｂ参照）との間で、第１伝送路６１を介して通信を行うように構成されている。
【００２３】
第１伝送処理部１２は、音声信号、映像信号や呼出信号を含む第１通信信号Ｓ１を生成するように構成されている。第１伝送処理部１２は、生成した第１通信信号Ｓ１を、上りの第１通信信号Ｓ１として、第１伝送路６１を介して第３伝送処理部２２へ送信するように構成されている。また、第１伝送処理部１２は、第３伝送処理部２２から送信された第１通信信号Ｓ１を、下りの第１通信信号Ｓ１として、第１伝送路６１を介して受信するように構成されている。第１伝送処理部１２は、受信した下りの第１通信信号Ｓ１を復調して音声信号を復元するように構成されている。本実施形態では、変調方式は、直交周波数分割多重方式（ＯＦＤＭ：Orthogonal Frequency Division Multiplexing）である。
【００２４】
なお、子機１と親機２との間で伝送される第１通信信号Ｓ１については、子機１から親機２に送信される信号が「上り」であり、親機２から子機１に送信される信号が「下り」である。
【００２５】
第１マイクロホン１３で集音された音声は、第１マイクロホン１３によりアナログの音声信号（電気信号）に変換される。このアナログの音声信号は、第１Ａ／Ｄ変換器１５によりデジタルの音声信号に変換される。第１Ａ／Ｄ変換器１５で変換されたデジタルの音声信号は、第１伝送処理部１２に入力される。
【００２６】
第１Ｄ／Ａ変換器１６は、第１伝送処理部１２で復元された音声信号（デジタルの音声信号）をアナログの音声信号に変換する。第１Ｄ／Ａ変換器１６で変換されたアナログの音声信号は第１スピーカ１４に入力され、これにより、第１スピーカ１４から音声が出力される。
【００２７】
第１撮像部１７は、来訪者を撮像するように構成されている。第１撮像部１７は、固体撮像素子と、レンズと、信号処理回路とを備えている。固体撮像素子は、例えば、ＣＭＯＳ（Complementary Metal Oxide Semiconductor）イメージセンサである。信号処理回路は、固体撮像素子の出力信号からＹＵＶフォーマットのデジタルの映像信号を生成し、デジタルの映像信号を第１伝送処理部１２へ出力するように構成されている。
【００２８】
第１操作部１８は、来訪者の操作を受け付ける。第１操作部１８は、押ボタンを備えている。第１操作部１８は、押ボタンが押されたときに、住戸１０内の居住者を呼び出すための呼出信号を第１制御部１１へ出力するように構成されている。第１制御部１１は、第１操作部１８からの呼出信号を、第１伝送処理部１２へ出力するように構成されている。
【００２９】
以下、複数の親機２について、図３Ｂに基づいて説明する。なお、複数の親機２の構成及び機能は同様であるから、以下では、複数の親機２のうち１つの親機２について構成及び機能を説明する。
【００３０】
親機２は、図３Ｂに示すように、第２制御部２０と、第２伝送処理部２１と、第３伝送処理部２２と、通話処理部２３と、第２マイクロホン２４と、第２スピーカ２５とを備えている。また、親機２は、第２Ａ／Ｄ変換器２６と、第２Ｄ／Ａ変換器２７と、映像処理部２８と、表示部２９と、第２操作部３０とを備えている。
【００３１】
第２制御部２０は、ＣＰＵ及びメモリ等のハードウェアと、ＣＰＵで実行されるソフトウェア（プログラム）とで構成されている。また、第２制御部２０は、第２伝送処理部２１、第３伝送処理部２２、通話処理部２３及び映像処理部２８を制御するように構成されている。
【００３２】
第２伝送処理部２１は、通信装置３の第５伝送処理部３３（図３Ｃ参照）との間で、第２伝送路６２を介して通信を行うように構成されている。
【００３３】
第２伝送処理部２１は、通話処理部２３からの音声信号を含む第２通信信号Ｓ２を生成するように構成されている。第２伝送処理部２１は、生成した第２通信信号Ｓ２を、上りの第２通信信号Ｓ２として、第２伝送路６２を介して第５伝送処理部３３へ送信するように構成されている。また、第２伝送処理部２１は、第５伝送処理部３３から送信された第２通信信号Ｓ２を、下りの第２通信信号Ｓ２として、第２伝送路６２を介して受信するように構成されている。第２伝送処理部２１は、受信した下りの第２通信信号Ｓ２を復調して音声信号及び映像信号を復元するように構成されている。
【００３４】
第２伝送処理部２１で復元された音声信号（デジタルの音声信号）は、通話処理部２３に入力される。第２伝送処理部２１で復元された映像信号（デジタルの映像信号）は、映像処理部２８に入力される。
【００３５】
なお、本実施形態では、第２伝送処理部２１から第５伝送処理部３３へ伝送される第２通信信号Ｓ２が、親機２から通信装置３へ伝送される上り信号に該当する。また、第５伝送処理部３３から第２伝送処理部２１へ伝送される第２通信信号Ｓ２が、通信装置３から親機２へ伝送される下り信号に該当する。つまり、親機２と通信装置３との間で伝送される第２通信信号Ｓ２については、親機２から通信装置３に送信される信号が「上り」であり、通信装置３から親機２に送信される信号が「下り」である。
【００３６】
ところで、第２伝送路６２には、親機２と通信装置３との間において、ある特定の周波数帯域の信号を通過させ、この周波数帯域以外の信号を通過させないフィルタが設けられている。本実施形態ではフィルタは、第２伝送路６２における複数の分岐器５の各々に設けられている。フィルタは、後述する第１周波数帯域の信号（上り信号）を通過させる第１フィルタ５ａ（図１参照）と、後述する第２周波数帯域の信号（下り信号）を通過させる第２フィルタ５ｂ（図１参照）とを有している。
【００３７】
第３伝送処理部２２は、通話処理部２３からの音声信号を含む第１通信信号Ｓ１を生成するように構成されている。また、第３伝送処理部２２は、生成した第１通信信号Ｓ１を、下りの第１通信信号Ｓ１として、第１伝送路６１を介して、子機１の第１伝送処理部１２へ送信するように構成されている。また、第３伝送処理部２２は、第１伝送処理部１２から送信された第１通信信号Ｓ１を、上りの第１通信信号Ｓ１として、第１伝送路６１を介して受信するように構成されている。第３伝送処理部２２は、受信した上りの第１通信信号Ｓ１を復調して音声信号及び映像信号を復元するように構成されている。
【００３８】
第３伝送処理部２２で復元された音声信号（デジタルの音声信号）は、通話処理部２３に入力される。第３伝送処理部２２で復元された映像信号（デジタルの映像信号）は、映像処理部２８に入力される。
【００３９】
第２マイクロホン２４で集音された音声は、第２マイクロホン２４により電気信号（アナログの音声信号）に変換される。このアナログの音声信号は、第２Ａ／Ｄ変換器２６によりデジタルの音声信号に変換される。第２Ａ／Ｄ変換器２６で変換されたデジタルの音声信号は、通話処理部２３に入力される。
【００４０】
第２Ｄ／Ａ変換器２７は、通話処理部２３から入力される音声信号（デジタルの音声信号）をアナログの音声信号に変換する。第２Ｄ／Ａ変換器２７で変換されたアナログの音声信号は第２スピーカ２５に入力され、これにより、第２スピーカ２５から音声が出力される。
【００４１】
通話処理部２３は、音声スイッチ及びエコーキャンセラを備え、第２伝送処理部２１又は第３伝送処理部２２からの音声信号と、第２Ａ／Ｄ変換器２６からの音声信号とを処理（信号処理）するように構成されている。第２Ａ／Ｄ変換器２６からの音声信号は、通話処理部２３で処理された後、通話処理部２３から、第２伝送処理部２１又は第３伝送処理部２２へ出力される。ここで、音声信号は、送信先がロビーインターホン４である場合、第２伝送処理部２１へ出力され、送信先が子機１である場合、第３伝送処理部２２へ出力される。これにより、親機２では、ハウリング及びエコーを抑制することが可能となり、良好なハンズフリー通話を実現できる。
【００４２】
映像処理部２８は、第２伝送処理部２１と第３伝送処理部２２との少なくとも一方からの映像信号に基づいて、映像を表示部２９に表示させるように構成されている。表示部２９は、例えば、液晶ディスプレイである。
【００４３】
第２操作部３０は、居住者の操作を受け付ける。第２操作部３０は、タッチパネル又は複数の押ボタンを有する入力装置を備えている。第２操作部３０は、入力装置が操作されたときに、操作に応じた操作信号を、第２制御部２０へ出力するように構成されている。
【００４４】
通信装置３は、図３Ｃに示すように、第３制御部３１と、第４伝送処理部３２と、第５伝送処理部３３とを備えている。
【００４５】
第３制御部３１は、ＣＰＵ及びメモリ等のハードウェアと、ＣＰＵで実行されるソフトウェア（プログラム）とで構成されている。第３制御部３１は、第４伝送処理部３２及び第５伝送処理部３３を制御するように構成されている。第３制御部３１のメモリには、データテーブルが記憶されている。データテーブルは、各住戸１０の親機２に割り当てられたアドレスと当該住戸１０の住戸番号とを対応付けたテーブルである。
【００４６】
第４伝送処理部３２は、共用伝送路９を介して、ロビーインターホン４の後述する第６伝送処理部に接続されている。第４伝送処理部３２は、第６伝送処理部との間で通信を行うように構成されている。第５伝送処理部３３は、第２伝送路６２を介して、親機２の第２伝送処理部２１に接続されている。
【００４７】
第４伝送処理部３２は、ロビーインターホン４から送信された第３通信信号Ｓ３を、上りの第３通信信号Ｓ３として、共用伝送路９を介して受信するように構成されている。第４伝送処理部３２は、受信した上りの第３通信信号Ｓ３に含まれた住戸番号、音声信号や映像信号を、第３制御部３１へ出力するように構成されている。また、第４伝送処理部３２は、第３制御部３１からの音声信号を変調して第３通信信号Ｓ３を生成するように構成されている。第４伝送処理部３２は、生成した第３通信信号Ｓ３を、下りの第３通信信号Ｓ３として、ロビーインターホン４の第６伝送処理部へ送信するように構成されている。
【００４８】
なお、ロビーインターホン４と通信装置３との間で伝送される第３通信信号Ｓ３については、ロビーインターホン４から通信装置３に送信される信号が「上り」であり、通信装置３からロビーインターホン４に送信される信号が「下り」である。
【００４９】
第３制御部３１は、第４伝送処理部３２から取得した住戸番号に対応付けられたアドレスの親機２を呼び出すように構成されている。例えば、第３制御部３１は、該当するアドレスの親機２を呼び出すための呼出信号を、第５伝送処理部３３へ出力するように構成されている。また、第３制御部３１は、第４伝送処理部３２から取得した音声信号や映像信号を、第５伝送処理部３３へ出力するように構成されている。
【００５０】
第５伝送処理部３３は、第３制御部３１からの呼出信号、音声信号や映像信号を含む第２通信信号Ｓ２を生成するように構成されている。また、第５伝送処理部３３は、生成した下りの第２通信信号Ｓ２を、第２伝送路６２を介して親機２の第２伝送処理部２１へ送信するように構成されている。また、第５伝送処理部３３は、第２伝送処理部２１から送信された上りの第２通信信号Ｓ２を、第２伝送路６２を介して受信するように構成されている。第５伝送処理部３３は、受信した上りの第２通信信号Ｓ２に含まれた音声信号を、第３制御部３１へ出力するように構成されている。第３制御部３１は、第５伝送処理部３３からの音声信号を、第４伝送処理部３２へ出力するように構成されている。
【００５１】
ロビーインターホン４は、第４制御部と、第６伝送処理部と、第３マイクロホンと、第３スピーカと、第３Ａ／Ｄ変換器と、第３Ｄ／Ａ変換器と、第２撮像部と、第３操作部とを備えている。ロビーインターホン４の基本構成は、子機１と同じ構成であるため、ロビーインターホン４についての説明を適宜省略する。
【００５２】
第３操作部は、来訪者の操作を受け付ける。第３操作部は、タッチパネル又は複数の押ボタンを有する入力装置を備えている。第３操作部は、入力装置が操作されたときに、操作に応じた呼出信号を、第４制御部へ出力するように構成されている。この呼出信号は、訪問先の住戸１０の番号（住戸番号）を含んでいる。第４制御部は、第３操作部からの呼出信号を、第６伝送処理部へ出力するように構成されている。
【００５３】
第６伝送処理部は、呼出信号を受けた場合、呼出信号に含まれる住戸番号の住戸１０の親機２を呼び出すための上りの第３通信信号Ｓ３を、共用伝送路９を介して、通信装置３の第４伝送処理部３２へ送信するように構成されている。この第３通信信号Ｓ３を受信した通信装置３は、呼び出された住戸１０の親機２とロビーインターホン４とを接続し、両者間での通信（通話）を中継する。
【００５４】
次に、上述した構成のインターホンシステム１００で使用される信号の周波数帯域について説明する。
【００５５】
インターホンシステム１００では、第１通信信号Ｓ１の周波数帯域と第２通信信号Ｓ２の周波数帯域とは、互いに重ならない。第１通信信号Ｓ１の周波数帯域は、例えば、図２に示すように、１０ＭＨｚ以上、かつ、１７ＭＨｚ未満の周波数帯域である。第２通信信号Ｓ２の周波数帯域は、例えば、２ＭＨｚ以上、かつ、１０ＭＨｚ未満の周波数帯域である。この例では、第２通信信号Ｓ２の周波数帯域は、第１通信信号Ｓ１の周波数帯域に比べて、中心周波数の低い周波数帯域である。そのため、第２通信信号Ｓ２の周波数帯域の上限の周波数は、第１通信信号Ｓ１の周波数帯域の下限の周波数よりも低くなる。
【００５６】
すなわち、インターホンシステム１００では、第１伝送路６１を伝送される第１通信信号Ｓ１と、第２伝送路６２を伝送される第２通信信号Ｓ２とでは、周波数帯域が互いに重ならないように、周波数帯域が振り分けられている。したがって、たとえ第１伝送路６１と第２伝送路６２とが近接して配線されていても、第１伝送路６１と第２伝送路６２との間のクロストークに起因した伝送品質の低下を抑制可能である。つまり、インターホンシステム１００では、２つの伝送路間でのクロストークに起因した伝送品質の低下を抑制可能になる。その結果、インターホンシステム１００では、２つの伝送路間で生じるクロストークに起因して、映像や音声が乱れたり、途切れたりすることを抑制可能となる。
【００５７】
なお、第２通信信号Ｓ２の周波数帯域は、第１通信信号Ｓ１の周波数帯域に比べて、中心周波数の高い周波数帯域であってもよい。この場合、第１通信信号Ｓ１の周波数帯域（１０ＭＨｚ以上、かつ、１７ＭＨｚ未満）に対し、第２通信信号Ｓ２の周波数帯域は、例えば、１７ＭＨｚ以上、かつ、２８ＭＨｚ未満の周波数帯域であってもよい。
【００５８】
ところで、第２通信信号Ｓ２は、「上り」と「下り」とで周波数帯域が異なっていてもよい。この場合、上り信号（上りの第２通信信号Ｓ２）の周波数帯域と下り信号（下りの第２通信信号Ｓ２）の周波数帯域とは、図４Ａに示すように、互いに重ならないことが好ましい。以下、上り信号と下り信号との一方の周波数帯域を「第１周波数帯域」と呼び、他方の周波数帯域を「第２周波数帯域」と呼ぶ。本実施形態では、「第１周波数帯域」は上り信号の周波数帯域であり、「第２周波数帯域」は下り信号の周波数帯域である。
【００５９】
図４Ａ中の「Ｈ１」は、第１周波数帯域（つまり、上りの第２通信信号Ｓ２の周波数帯域）を表している。図４Ａ中の「Ｈ２」は、第２周波数帯域（つまり、下りの第２通信信号Ｓ２の周波数帯域）を表している。第１周波数帯域は、第２周波数帯域よりも中心周波数の低い周波数帯域である。第１周波数帯域は、例えば、２ＭＨｚ以上、かつ、１０ＭＨｚ未満の周波数帯域である。第２周波数帯域は、例えば、１７ＭＨｚ以上、かつ、２８ＭＨｚ未満の周波数帯域である。また、第１通信信号Ｓ１の周波数帯域は、第１周波数帯域の上限の周波数（図４Ａでは、１０ＭＨｚ）と、第２周波数帯域の下限の周波数（図４Ａでは、１７ＭＨｚ）との間の周波数帯域であることが好ましい。これにより、インターホンシステム１００では、未使用の周波数帯域（空きの周波数帯域）を減らすことが可能となり、周波数帯域の利用効率を高めることが可能になる。
【００６０】
また、インターホンシステム１００では、下り信号の周波数帯域（第２周波数帯域）が、上り信号の周波数帯域（第１周波数帯域）よりも中心周波数の高い周波数帯域である。そのため、親機２と通信装置３との間で伝送される第２通信信号Ｓ２については、親機２から通信装置３に送信される上り信号よりも、通信装置３から親機２に送信される下り信号において、高速化を図ることができる。したがって、ロビーインターホン４から通信装置３を通して親機２に送信される映像信号のように比較的データ量の多い信号についても、下り信号に含まれることで、高速に伝送可能となる。
【００６１】
また、第２伝送路６２には、親機２と通信装置３との間において、第１周波数帯域及び第２周波数帯域の信号を通過させるフィルタ（第１フィルタ５ａ及び第２フィルタ５ｂ）が設けられている（図１参照）。第１フィルタ５ａは第１周波数帯域の信号（上り信号）を通過させる。第２フィルタ５ｂは第２周波数帯域の信号（下り信号）を通過させる。これにより、インターホンシステム１００では、第２伝送路６２を伝送される第２通信信号Ｓ２の耐ノイズ性が向上可能である。
【００６２】
ここでは、一例として第１フィルタ５ａは、第１周波数帯域の上限の周波数と第２周波数帯域の下限の周波数との間に、カットオフ周波数を有するローパスフィルタである。第２フィルタ５ｂは、第１周波数帯域の上限の周波数と第２周波数帯域の下限の周波数との間に、カットオフ周波数を有するハイパスフィルタである。この場合に、第１フィルタ５ａのカットオフ周波数は、第１周波数帯域の上限の周波数よりも高く設定される。第２フィルタ５ｂのカットオフ周波数は、第２周波数帯域の下限の周波数よりも低く設定される。さらに、第１フィルタ５ａのカットオフ周波数は、第２フィルタ５ｂのカットオフ周波数よりも低く設定される。そのため、第１周波数帯域の上限の周波数と、第２周波数帯域の下限の周波数との間には、ある程度の帯域幅を持つ未使用の周波数帯域が生じる。本実施形態では、このように生じる未使用の周波数帯域が、第１通信信号Ｓ１の周波数帯域に使用されている。
【００６３】
また、ロビーインターホン４と通信装置３との間で共用伝送路９（第３伝送路）を介して伝送される第３通信信号Ｓ３は、「上り」と「下り」とで周波数帯域が異なっていてもよい。この場合、上りの第３通信信号Ｓ３の周波数帯域と下りの第３通信信号Ｓ３の周波数帯域とは、図４Ｂに示すように、互いに重ならないことが好ましい。以下、上りの第３通信信号Ｓ３の周波数帯域を「第３周波数帯域」と呼び、下りの第３通信信号Ｓ３の周波数帯域を「第４周波数帯域」と呼ぶ。
【００６４】
図４Ｂ中の「Ｈ３」は、第３周波数帯域（つまり、上りの第３通信信号Ｓ３の周波数帯域）を表している。図４Ｂ中の「Ｈ４」は、第４周波数帯域（つまり、下りの第３通信信号Ｓ３の周波数帯域）を表している。第３周波数帯域は、第４周波数帯域よりも中心周波数の低い周波数帯域である。第３周波数帯域は、例えば、２ＭＨｚ以上、かつ、１４．３ＭＨｚ未満の周波数帯域である。第４周波数帯域は、例えば、１４．３ＭＨｚ以上、かつ、２８ＭＨｚ未満の周波数帯域である。
【００６５】
ここで、上りの第３通信信号Ｓ３の周波数帯域（第３周波数帯域）は、上りの第２通信信号Ｓ２（上り信号）の周波数帯域（第１周波数帯域）を含むことが好ましい。また、上りの第３通信信号Ｓ３の周波数帯域（第３周波数帯域）は、下りの第２通信信号Ｓ２（下り信号）の周波数帯域（第２周波数帯域）を含まないことが好ましい。
【００６６】
一方、下りの第３通信信号Ｓ３の周波数帯域（第４周波数帯域）は、下りの第２通信信号Ｓ２（下り信号）の周波数帯域（第２周波数帯域）を含むことが好ましい。また、下りの第３通信信号Ｓ３の周波数帯域（第４周波数帯域）は、上りの第２通信信号Ｓ２（上り信号）の周波数帯域を含まないことが好ましい。
【００６７】
これにより、親機２とロビーインターホン４との間で通信が行われるとき、幹線８を伝送される第２通信信号Ｓ２の周波数帯域と、共用伝送路９を伝送される第３通信信号Ｓ３の周波数帯域とが、互いに重ならない。すなわち、ロビーインターホン４から親機２に信号が伝送される場合には、第２伝送路６２には下りの第２通信信号Ｓ２が伝送され、共用伝送路９（第３伝送路）には上りの第３通信信号Ｓ３が伝送される。また、親機２からロビーインターホン４に信号が伝送される場合には、第２伝送路６２には上りの第２通信信号Ｓ２が伝送され、共用伝送路９（第３伝送路）には下りの第３通信信号Ｓ３が伝送される。そのため、いずれの場合でも、第２通信信号Ｓ２と第３通信信号Ｓ３とで周波数帯域は互いに重ならない。その結果、インターホンシステム１００では、たとえ幹線８と共用伝送路９とが近接して配線されることがあっても、幹線８と共用伝送路９との間でのクロストークに起因した伝送品質の低下を抑制可能である。
【００６８】
また、第３周波数帯域と第４周波数帯域との少なくとも一方は、第１通信信号Ｓ１の周波数帯域を含むことが好ましい。これにより、インターホンシステム１００では、第１通信信号Ｓ１の周波数帯域と重ならないように第３周波数帯域及び第４周波数帯域が設定される場合に比べて、未使用の周波数帯域（空きの周波数帯域）が低減される。その結果、インターホンシステム１００では、周波数帯域の利用効率を高めることが可能になる。
【００６９】
以上説明したように、本実施形態のインターホンシステム１００は、インターホン子機１と、第１伝送路６１を介してインターホン子機１に接続されるインターホン親機２とを備えている。また、インターホンシステム１００は、第２伝送路６２を介してインターホン親機２に接続される通信装置３を備えている。インターホン子機１とインターホン親機２とは、第１伝送路６１を介して伝送される第１通信信号Ｓ１を用いて互いに通信する。インターホン親機２と通信装置３とは、第２伝送路６２を介して伝送される第２通信信号Ｓ２を用いて互いに通信する。第１通信信号Ｓ１の周波数帯域と第２通信信号Ｓ２の周波数帯域とは、互いに重ならない。
【００７０】
この構成によれば、インターホンシステム１００では、第１伝送路６１を伝送される第１通信信号Ｓ１と、第２伝送路６２を伝送される第２通信信号Ｓ２とでは、周波数帯域が互いに重ならないように、周波数帯域が振り分けられている。したがって、たとえ第１伝送路６１と第２伝送路６２とが近接して配線されていても、第１伝送路６１と第２伝送路６２との間のクロストークに起因した伝送品質の低下を抑制可能である。すなわち、インターホンシステム１００では、２つの伝送路間でのクロストークに起因した伝送品質の低下を抑制可能になる。その結果、インターホンシステム１００では、２つの伝送路間のクロストークに起因して、映像や音声が乱れたり、途切れたりすることを抑制可能となる。しかも、インターホンシステム１００では、周波数帯域の振り分けによって伝送品質の低下を抑制しているので、２つの伝送路で同時に通信することも可能である。例えば、第２伝送路６２を介してロビーインターホン４と親機２とが通信中に、第１伝送路６１を介して、親機２が子機１からの呼出信号を含む第１通信信号Ｓ１を受けること等が可能になる。
【００７１】
また、本実施形態のように、第２通信信号Ｓ２は、インターホン親機２から通信装置３へ伝送される上り信号と、通信装置３からインターホン親機２へ伝送される下り信号とを含むことが好ましい。この場合、上り信号と下り信号との一方の周波数帯域である第１周波数帯域と、上り信号と下り信号との他方の周波数帯域である第２周波数帯域とは、互いに重ならないことが好ましい。この場合、第１周波数帯域は、第２周波数帯域よりも中心周波数の低い周波数帯域であることが好ましい。第１通信信号Ｓ１の周波数帯域は、第１周波数帯域の上限の周波数と、第２周波数帯域の下限の周波数との間の周波数帯域であることが好ましい。この構成によれば、インターホンシステム１００では、未使用の周波数帯域（空きの周波数帯域）を減らすことが可能となり、周波数帯域の利用効率を高めることが可能になる。すなわち、インターホンシステム１００は、上り信号と下り信号との間の周波数帯域を、第１通信信号Ｓ１の周波数帯域として利用することで、未使用の周波数帯域を低減できる。ただし、この構成はインターホンシステム１００に必須の構成ではなく、上り信号と下り信号とで周波数帯域が重なっていてもよい。
【００７２】
また、この場合、本実施形態のように、第１周波数帯域は上り信号の周波数帯域であり、第２周波数帯域は下り信号の周波数帯域であることが好ましい。この構成によれば、親機２と通信装置３との間で伝送される第２通信信号Ｓ２については、親機２から通信装置３に送信される上り信号よりも、通信装置３から親機２に送信される下り信号の方が周波数帯域の中心周波数が高くなる。したがって、上り信号よりも下り信号において、高速化を図ることができる。ただし、この構成はインターホンシステム１００に必須の構成ではなく、下り信号よりも上り信号の方において周波数帯域の中心周波数が高くてもよい。
【００７３】
また、この場合、本実施形態のように、第２伝送路６２には、インターホン親機２と通信装置３との間において、第１周波数帯域及び第２周波数帯域の信号を通過させるフィルタ（第１フィルタ５ａ及び第２フィルタ５ｂ）が設けられていることが好ましい。この構成によれば、インターホンシステム１００では、第２伝送路６２を伝送される第２通信信号Ｓ２の耐ノイズ性が向上する。さらに、インターホンシステム１００では、第１フィルタ５ａ及び第２フィルタ５ｂによって生じる未使用の周波数帯域を、第１通信信号Ｓ１の周波数帯域として利用することで、未使用の周波数帯域を有効に利用できる。ただし、この構成はインターホンシステム１００に必須の構成ではなく、フィルタは省略されていてもよい。
【００７４】
（変形例）
以下、実施形態１の変形例を列挙する。
【００７５】
実施形態１に係るインターホンシステム１００はロビーインターホン４を備えているが、ロビーインターホン４はインターホンシステム１００に必須の構成ではなく、インターホンシステム１００はロビーインターホン４を備えていなくてもよい。
【００７６】
また、実施形態１では、変調方式として、直交周波数分割多重方式を用いているが、これに限らず、例えば、直接拡散方式（ＤＳＳＳ：Direct Sequence Spread Spectrum）等を用いてもよい。
【００７７】
また、インターホンシステム１００は、集合住宅に用いられているが、これに限らず、例えば、オフィスビルや病院等、住宅以外の施設に用いられてもよい。
【００７８】
また、第１通信信号Ｓ１の周波数帯域は、実施形態１で例示した値（１０ＭＨｚ以上、かつ、１７ＭＨｚ未満）に限らず、第２通信信号Ｓ２の周波数帯域と重ならない範囲で、適宜変更可能である。同様に、上りの第２通信信号Ｓ２の周波数帯域（第１周波数帯域）、及び下りの第２通信信号Ｓ２の周波数帯域（第２周波数帯域）についても、実施形態１で例示した値に限らず、適宜変更可能である。同様に、上りの第３通信信号Ｓ３の周波数帯域（第３周波数帯域）、及び下りの第３通信信号Ｓ３の周波数帯域（第４周波数帯域）についても、実施形態１で例示した値に限らず、適宜変更可能である。
【００７９】
さらに、第１通信信号Ｓ１の周波数帯域と、第１周波数帯域又は第２周波数帯域との間に、空きの周波数帯域、つまりガードバンドが設けられていてもよい。ここでいうガードバンドとは、隣接する周波数帯域を使用する他の通信信号との干渉を防ぐために設けられる未使用の周波数帯域を意味する。同様に、第３周波数帯域と第４周波数帯域との間に、空きの周波数帯域（ガードバンド）が設けられていてもよい。この場合に、第３周波数帯域と第４周波数帯域との間のガードバンドが、第１通信信号Ｓ１の周波数帯域であってもよい。
【００８０】
（実施形態２）
以下、本実施形態のインターホンシステム１００Ａについて、図５を参照して説明する。インターホンシステム１００Ａの基本構成は、実施形態１のインターホンシステム１００と同じである。ただし、インターホンシステム１００Ａでは、複数の親機２が複数の第２伝送路６２ａ，６２ｂを介して通信装置３に接続されている点等が、インターホンシステム１００と相違する。なお、本実施形態では、実施形態１のインターホンシステム１００と同様の構成要素に同一の符号を付して説明を適宜省略する。
【００８１】
通信装置３の第５伝送処理部３３には、２系統（２本）の幹線８ａ，８ｂが接続されている。２系統のうち一方の幹線８ａは、複数の分岐線７及び複数の分岐器５と共に第２伝送路６２ａを構成する。２系統のうち他方の幹線８ｂは、複数の分岐線７及び複数の分岐器５と共に第２伝送路６２ｂを構成する。すなわち、インターホンシステム１００Ａは、複数（ここでは２つ）の第２伝送路６２ａ，６２ｂを備えている。
【００８２】
複数の親機２は、第１の親機２ａと、第２の親機２ｂとを含む。第１の親機２ａは、２つの第２伝送路６２ａ，６２ｂのうち一方の第２伝送路６２ａを介して、通信装置３に接続されている。第２の親機２ｂは、２つの第２伝送路６２ａ，６２ｂのうち他方の第２伝送路６２ｂを介して、通信装置３に接続されている。図５の例では、インターホンシステム１００Ａは、第１の親機２ａを複数備え、第２の親機２ｂを複数備えている。つまり、通信装置３には、第２伝送路６２ａを介して第１の親機２ａが複数接続され、第２伝送路６２ｂを介して第２の親機２ｂが複数接続されている。
【００８３】
ここで、複数の親機２ａ，２ｂのうちの一の（第１の）親機２ａで使用される第２通信信号Ｓ２の周波数帯域と、複数の親機２ａ，２ｂのうちの他の（第２の）親機２ｂで使用される第２通信信号Ｓ２の周波数帯域とは、互いに重ならないことが好ましい。つまり、複数の親機２ａ，２ｂは、接続されている第２伝送路６２ａ，６２ｂごとに、第２通信信号Ｓ２の周波数帯域が異なることが好ましい。以下、第２伝送路６２ａを伝送される第２通信信号Ｓ２の周波数帯域を「第５周波数帯域」と呼び、第２伝送路６２ｂを伝送される第２通信信号Ｓ２の周波数帯域を「第６周波数帯域」と呼ぶ。
【００８４】
本実施形態では、第５周波数帯域は、第６周波数帯域よりも中心周波数の低い周波数帯域である。第５周波数帯域（つまり、第２伝送路６２ａを伝送される第２通信信号Ｓ２の周波数帯域）は、例えば、２ＭＨｚ以上、かつ、６ＭＨｚ未満の周波数帯域である。第６周波数帯域（つまり、第２伝送路６２ｂを伝送される第２通信信号Ｓ２の周波数帯域）は、例えば、６ＭＨｚ以上、かつ、１０ＭＨｚ未満の周波数帯域である。
【００８５】
これにより、インターホンシステム１００Ａでは、第５周波数帯域と第６周波数帯域とが重複しないので、異なる第２伝送路６２ａ，６２ｂ間でのクロストークに起因した伝送品質の低下を抑制可能である。つまり、たとえ複数の幹線８ａ，８ｂが互いに近接して配線されることがあっても、複数の第２伝送路６２ａ，６２ｂ間でのクロストークに起因した伝送品質の低下が抑制可能である。
【００８６】
ただし、第５周波数帯域及び第６周波数帯域の各々は、上述した値に限らず、適宜変更可能である。また、第５周波数帯域と第６周波数帯域との間に、空きの周波数帯域（ガードバンド）が設けられていてもよい。この場合、インターホンシステム１００Ａでは、複数の第２伝送路６２ａ，６２ｂ間でのクロストークに起因した伝送品質の低下を、より抑制可能になるという利点がある。
【００８７】
以上説明したように、本実施形態のインターホンシステム１００Ａは、インターホン親機２ａ，２ｂを複数備え、複数のインターホン親機２ａ，２ｂは、複数の第２伝送路６２ａ，６２ｂを介して通信装置３に接続されている。複数のインターホン親機２ａ，２ｂのうちの一のインターホン親機２ａで使用される第２通信信号Ｓ２の周波数帯域と、複数のインターホン親機２ａ，２ｂのうちの他のインターホン親機２ｂで使用される第２通信信号Ｓ２の周波数帯域とは、互いに重ならない。
【００８８】
この構成によれば、インターホンシステム１００Ａでは、一の第２伝送路６２ａを伝送される第２通信信号Ｓ２の周波数帯域と、他の第２伝送路６２ｂを伝送される第２通信信号Ｓ２の周波数帯域とが重複しない。したがって、異なる第２伝送路６２ａ，６２ｂ間でのクロストークに起因した伝送品質の低下を抑制可能である。
【００８９】
なお、インターホンシステム１００Ａは、２系統（２本）の幹線８ａ，８ｂを含んでいるが、３系統以上（３本以上）の幹線を含んでいてもよい。すなわち、インターホンシステム１００Ａは、３つ以上の第２伝送路を備えていてもよい。
【００９０】
以上説明した実施形態（変形例を含む）は、本発明の一例に過ぎず、本発明は、上述の実施形態に限定されることはなく、この実施形態以外であっても、本発明に係る技術的思想を逸脱しない範囲であれば、設計等に応じて種々の変更が可能である。
【符号の説明】
【００９１】
１  インターホン子機
２，２ａ，２ｂ  インターホン親機
３  通信装置
５ａ  第１フィルタ（フィルタ）
５ｂ  第２フィルタ（フィルタ）
６１  第１伝送路
６２，６２ａ，６２ｂ  第２伝送路
１００，１００Ａ  インターホンシステム
【図１】
0006765066.tif 000002
【図２】
0006765066.tif 000003
【図３】
0006765066.tif 000004
【図４】
0006765066.tif 000005
【図５】
0006765066.tif 000006